(57)【要約】【課題】機器本体の天面あるいは側面に機器を操作する操作部を有する水使用機器において、外郭に一体感がある質感を表現し、シンプルで高級感のあるデザインを表現し見やすくする。【解決手段】機器本体の天面あるいは側面に機器を操作する操作部を有し、表面にフィルム層を有して樹脂材料層と一体に成形し、部分的に前記フィルム層のみの部分を備えて前記操作部を設け、単独の外郭部材で蓋体を構成する。【選択図】  図２
2004283516.tif 000002
【特許請求の範囲】
【請求項１】
機器本体の天面あるいは側面に機器を操作する操作部を有する水使用機器において、表面にフィルム層を有して樹脂材料層と一体に成形し、部分的に前記フィルム層のみとした前記操作部を設けた蓋体において、前記蓋体の表面全体を前記フィルム層で覆って構成した水使用機器。
【請求項２】
フィルム層の表面または裏面に加飾を施した請求項１記載の水使用機器。
【請求項３】
フィルム層は、透明もしくはフィルムを透視し文字や絵柄を見ることができる程度の色を付けた請求項１記載の水使用機器。
【請求項４】
外郭部材を機器に固定するための嵌合部を樹脂材料層に設けた請求項１記載の水使用機器。
【請求項５】
外郭部材の外周端面を挿入するためのリブを設けた請求項１記載の水使用機器。
【発明の詳細な説明】
【０００１】
【発明の属する技術分野】
本発明は、機器本体の天面あるいは側面に機器を操作する操作部を有する水使用機器に関するものである。
【０００２】
【従来の技術】
従来、この種の水使用機器は図５に示すように構成していた。以下、その構成について説明する。
【０００３】
図５に示すように、機器外郭５１の表面には外郭部材５５が装着される外郭部材装着部５６が凹設されている。この外郭部材装着部には操作スイッチ５２のアクチュエータ５２ａが臨む操作部操作孔５７と、操作に対応して表示をするパイロットランプ５３が貫通するパイロットランプ孔５８が設けられている。樹脂製の外郭部材５５はあらかじめ防水フィルム５９と一体成形され、操作部６０には外郭部材５５の樹脂はなく防水フィルム５９のみとなっている。また外郭部材は接着部６２により機器外郭５１に水密に接着されている（例えば、特許文献１参照）。
【０００４】
【特許文献１】
特開平６−２０９８４９号公報（第３−４項、第１図）
【０００５】
【発明が解決しようとする課題】
しかしながらこのような従来の構成では、機器外郭の表面には外郭部材が装着される外郭部材装着部が凹設されており、外郭部材との間には段差や溝ができ、段差や溝に水が溜まったり、更には溜まった水が本体内部に浸入して前記操作スイッチ５２を回路ショートさせる等電気的な支障や、段差や溝のお手入れ性にも課題が残っていた。
【０００６】
本発明は上記課題を解決するもので、水使用機器の外郭において、機器外郭の蓋体を段差や溝の無い一体形とし、本体内部に水が浸入してこないようにするとともに、お手入れ性を高め、また、機器外郭の蓋体を一体形とし単独としたことにより一体感のある質感を表現し、シンプルで高級感のあるデザインを可能とすることを目的としている。
【０００７】
【課題を解決するための手段】
本発明は上記目的を達成するために、機器本体の天面あるいは側面に機器を操作する操作部を有する水使用機器において、表面にフィルム層を有して樹脂材料層と一体に成形し、部分的に前記フィルム層のみの部分を備えて前記操作部を設けた蓋体において、前記蓋体の表面全体を前記フィルム層で覆って構成したものである。
【０００８】
これにより、蓋体を一体形としたことにより、段差や溝を無くし、本体内部に水が浸入してこないようにするとともに、お手入れ性を向上させるものである。また、蓋体に一体感のある質感を表現し、シンプルで高級感のあるデザインと商品品位の向上を可能とするものである。
【０００９】
【発明の実施の形態】
本発明の請求項１に記載の発明は、機器本体の天面あるいは側面に機器を操作する操作部を有する水使用機器において、表面にフィルム層を有して樹脂材料層と一体に成形し、部分的に前記フィルム層のみとした前記操作部を設けた蓋体において、前記蓋体の表面全体を前記フィルム層で覆って、蓋体を一体形したことにより、段差や溝の無い一体形とし、本体内部に水が浸入してこないようにするとともに、お手入れ性を向上させるものである。また、蓋体に一体感のある質感を表現し、シンプルで高級感のあるデザインと商品品位の向上を可能とするものである。
【００１０】
請求項２に記載の発明は、フィルム層の表面または裏面に加飾を施した請求項１記載の水使用機器であり、蓋体を一体形としたことにより、蓋体に一体感のある質感を表現し、シンプルで高級感のあるデザインと商品品位の向上を可能とするものである。
【００１１】
請求項３に記載の発明は、フィルム層は透明もしくはフィルム層を透視し文字や絵柄を見ることができる程度の色を付けた請求項１記載の水使用機器であり、フィルム層を透視し文字や絵柄を見ることを可能とするものである。
【００１２】
請求項４に記載の発明は、外郭部材を機器に固定するための嵌合部を樹脂材料層に設けた請求項１記載の水使用機器であり、外郭部材を本体に機構的かつ確実に、そして簡単に取りつけることができる。
【００１３】
請求項５に記載の発明は、外郭部材の外周端面を挿入するためのリブを設けた請求項１記載の水使用機器であり、外郭部材の外周端面を挿入することにより、外周端面が見えなくなりデザインと商品品位の向上を可能とするものである。
【００１４】
【実施例】
（実施例１）
本発明の実施例１について、水使用機器である炊飯器を例に図１、２を用いて説明する。図１において、炊飯器本体１は有底筒状の鍋収納部１ａを有し、着脱自在に鍋２を収納する。鍋収納部１ａの底部に設けられた底誘導コイル３が鍋加熱手段となり、鍋２を誘導加熱し炊飯・保温を行う。４は底センサーで、鍋２の温度を検知し、制御部５へ信号を送る。制御部５は底センサー４の信号より底誘導コイル３の通電量を変化させ、鍋２の加熱量を可変することで鍋２の温度を炊飯・保温時に適温に制御する。
【００１５】
本体上部は本体後部のヒンジ部６に設けたヒンジ軸７にて軸支された、開閉自在な蓋体８で覆われ、図２に示す如く、その外郭は表面に厚さ０．０５〜０．３ｍｍのポリエチレンテレフタレート樹脂等のフィルム層１５ｃを有してＡＢＳ樹脂、ポリカーボネート樹脂、またはアクリル樹脂などの樹脂材料層１５ｄと一体に成形し、部分的に前記フィルム層１５ｃのみで構成される開口部１５ａを有する外郭部材１５で一体的に全面覆われている。つまり前記フィルム層１５ｃは前記蓋体８の表面の全面を覆って外郭部材１５を構成している。
【００１６】
前記樹脂材料層１５ｄの厚さは、前記フィルム層１５ｃに比べて十分に厚肉の１〜３ｍｍとなっている。操作部１３は前記外郭部材１５の開口部１５ａに位置している。開口部１５ａは前記フィルム層１５ｃで構成される凸状のエンボス部１５ｆが設けられ、押しボタンスイッチとして機能し、前記エンボス部１５ｆと対向して取りつけられたキー１３ｂを介してスイッチ１３ａを操作可能にして、前記操作部を構成している。外郭部材１５の前記フィルム層１５ｃにおいて、表面または裏面に加飾１５ｅが施されている。図１に示す如く蓋体８の先端には蓋係合部１４が設けられており、本体前方のフックボタン１６と閉蓋時に係合し、炊飯または保温中に蓋体８が開くのを防止する。フックボタン１６を押すと、蓋係合部１４とフックボタン１６の係合が外れ、蓋体８のヒンジ部６に設けられたヒンジバネ１７の力よって蓋体８が開く構成としている。
【００１７】
蓋体８には鍋２の内部空間を加熱する加熱板９が設けられており、加熱板９は蓋加熱手段である蓋誘導コイル１０により誘導加熱される。加熱板９には加熱板蒸気口９ａが設けられており、炊飯・保温中に発生する蒸気を、加熱板蒸気口９ａを介して、蓋蒸気口８ｃから外部へ流出する。１８は蒸気口パッキンで、加熱板蒸気口９ａからの蒸気が蓋体８の内部に流入するのを防止している。また１９は鍋パッキンで、加熱板９と鍋２のフランジ部２ａの間から蒸気が外部へ漏れ出すのを防止している。
【００１８】
以上のように構成された炊飯器において、前記操作部１３を操作して炊飯又は、保温を開始するものである。
【００１９】
本実施例によれば、前記フィルム層１５ｃで蓋体８を一体的に全面覆うことにより、段差や溝の無い一体形とし、本体内部に水が浸入してこないようにするとともに、お手入れ性を向上させるものである。また、蓋体の表面を一体形としたことにより一体感のある質感を表現し、シンプルで高級感のあるデザインが可能とした商品品位の向上となる。さらに、従来は外郭部材と機器外郭の２つの部品で外郭を構成していたものを、外郭部材のみで蓋体を構成することにより、より安価に蓋体を構成することができる。
【００２０】
なお、本例では炊飯器を例に挙げたが、その他調理器や洗濯機あるいは食器洗い乾燥機、給湯機といった水のかかる場合のある機器の操作部の蓋体であれば本例と同様の効果を得ることができる。
【００２１】
（実施例２）
実施例２について、図２に示す如くフィルム層１５ｃの表面または裏面へ加飾１５ｅが施されている。その他構成は実施例１と同様である。
【００２２】
フィルム層１５ｃの表面または裏面への加飾１５ｅの加飾方法は塗装処理であると、簡易に裏面全体を加飾することができる。塗装色を機器表面の文字や絵柄が見やすいような色とすることで、よりいっそう機器表面の文字や絵柄を見やすくすることが可能となる。また印刷処理を施すと、複数色の絵柄や模様を施すことができデザイン性が高まるとともに塗装と同様、機器表面の文字や絵柄を見やすくすることを可能とする。
【００２３】
（実施例３）
実施例３において、フィルム層は、透明もしくはフィルムを透視し文字や絵柄を見ることができる程度の色を付けている。その他構成は実施例１と同様である。フィルム層を透視し文字や絵柄を見ることを可能とする。
【００２４】
（実施例４）
実施例４において、図３に示すように外郭部材４０の樹脂材料層４０ａには、外郭部材４０を蓋体４８に固定するための嵌合部が構成してある。嵌合部は爪部４０ｂやネジ用ボス部４０ｃや凸形嵌合部４０ｄからなる。その他構成は実施例１と同様である。
【００２５】
外郭部材４０は多層構造からなり、それぞれの層で熱や経年変化の収縮変化率が違う。そのため、水だけでなく熱も加わる機器では過度の熱が加わったり、長年の使用により外郭部材４０が変形したり、ソリが発生することがある。そこで接着あるいは爪嵌合やネジ止めや凸形嵌合で固定する必要が生じる。本例のように樹脂材料層４０ａに嵌合用の爪部４０ｂやネジ用ボス部４０ｃや凸形嵌合部４０ｄを構成し、本体あるいは蓋体４８に爪勘合あるいはネジ止めや凸形嵌合で固定すると、外観部には爪部４０ｂやネジ用ボス部４０ｃや凸形嵌合部４０ｄは見えなく、外観の商品品位を損なうことなく確実に蓋体４８に固定することができる。加えて接着剤などは不要となり、短時間で蓋体４８に組み上げることができる。
【００２６】
（実施例５）
実施例５において、図４に示すように外郭部材３０の外周端面を挿入するためのリブ３０ａを蓋体に構成してある。その他構成は実施例１と同様である。外郭部材の外周端面を挿入することにより、外周端面が見えなくなりデザインと商品品位の向上を可能とする。
【００２７】
【発明の効果】
以上のように本発明の請求項１に記載の発明によれば、機器本体の天面あるいは側面に機器を操作する操作部を有する水使用機器において、表面にフィルム層を有して樹脂材料層と一体に成形し、部分的に前記フィルム層のみとした前記操作部を設けた蓋体において前記蓋体の表面全体を前記フィルム層で覆って、蓋体を一体形としたことにより、段差や溝の無い一体形とし、本体内部に水が浸入してこないようにするとともに、お手入れ性を向上させるものである。また、蓋体に一体感のある質感を表現し、シンプルで高級感のあるデザインと商品品位の向上を可能とする効果を有する。
【００２８】
請求項２に記載の発明は、フィルム層の表面または裏面に加飾を施した請求項１記載の水使用機器の蓋体であり、蓋体を一体形としたことにより、段差や溝の無い一体形とし、蓋体に一体感のある質感を表現し、シンプルで高級感のあるデザインと商品品位の向上を可能とする効果を有する。
【００２９】
請求項３に記載の発明は、フィルム層は透明もしくはフィルム層を透視し文字や絵柄を見ることができる程度の色を付けた請求項１記載の水使用機器の蓋体であり、フィルム層を透視し文字や絵柄を見ることを可能とする効果を有する。
【００３０】
請求項４に記載の発明は、外郭部材を機器に固定するための嵌合部を樹脂材料層に設けた請求項１記載の水使用機器の蓋体であり、外郭部材を本体に機構的かつ確実に、そして簡単に取りつけることができる効果を有する。
【００３１】
請求項５に記載の発明は、外郭部材の外周端面を挿入するためのリブを設けた請求項１記載の水使用機器の蓋体であり、外郭部材の外周端面を挿入することにより、外周端面が見えなくなりデザインと商品品位の向上を可能とする効果を有する。
【図面の簡単な説明】
【図１】本発明の第１の実施例の水使用機器の断面図
【図２】同水使用機器の外郭の要部断面図
【図３】本発明の第４の実施例の水使用機器の外郭の要部断面図
【図４】本発明の第５の実施例の水使用機器の外郭の要部断面図
【図５】従来の水使用機器の外郭の要部断面図
【符号の説明】
１３    操作部
１５    外郭部材
１５ｃ  フィルム層
１５ｄ  樹脂材料層
１５ｅ  加飾
４０ｂ、４０ｃ、４０ｄ  嵌合部
３０ａ  リブ
【図１】
2004283516.tif 000003
【図２】
2004283516.tif 000004
【図３】
2004283516.tif 000005
【図４】
2004283516.tif 000006
【図５】
2004283516.tif 000007